(57)【要約】【課題】穿刺針が抜ける可能性があることを高い精度にて通報できる通報装置及び通報方法を提供する。【解決手段】通報装置１０は、患者に穿刺された穿刺針１２から延びる点滴チューブＴＢ１とともに患者に取り付けられ、患者から離間したことを検出する光学式の離間検出センサ２０と、離間検出センサ２０の検出結果に基づいて、通報を行うための制御器３０と、を備え、離間検出センサ２０は、電気的に絶縁されている。【選択図】図１
2013233401.tif 000002
【特許請求の範囲】
【請求項１】
患者に穿刺された穿刺針から延びる点滴チューブとともに該患者に取り付けられ、該患者から離間したことを検出する光学式の離間検出センサと、
前記離間検出センサの検出結果に基づいて、通報を行うための制御器と、を備え、
前記離間検出センサは、電気的に絶縁されている通報装置。
【請求項２】
請求項１記載の通報装置において、
前記離間検出センサは、前記患者の体に対向する第１の面に、
近赤外光を照射する投光器と、
反射した前記近赤外光を受ける受光器と、を有する通報装置。
【請求項３】
請求項２記載の通報装置において、
前記制御器は、ナースコールの呼び出し器を収容する収容部と、
前記収容部に収容された前記呼び出し器のボタンを機械的に操作するボタン操作部と、を有する通報装置。
【請求項４】
請求項３記載の通報装置において、
前記制御器は、前記受光器の受光状態を表示する表示部を有する通報装置。
【請求項５】
請求項４記載の通報装置において、
前記患者に酸素を供給するための酸素チューブに取り付けられ、該酸素チューブの振動を検出する振動センサを更に備え、
前記制御器が、前記振動センサの検出結果に基づいて、通報を行う通報装置。
【請求項６】
患者に酸素を供給するための酸素チューブに取り付けられ、該酸素チューブの振動を検出する振動センサと、
前記振動センサの検出結果に基づいて、通報を行うための制御器と、を備えた通報装置。
【請求項７】
患者から離間したことを検出する光学式の離間検出センサが、該患者に穿刺された穿刺針から延びる点滴チューブとともに該患者に取り付けられるステップと、
前記離間検出センサが前記患者から離間したことを検出すると、該離間検出センサに接続された制御器が、ナースコールのボタンを押すステップと、を含む通報方法。
【請求項８】
請求項７記載の通報方法において、
患者に酸素を供給するための酸素チューブの振動を検出する振動センサが、該酸素チューブに取り付けられるステップと、
前記振動センサが、前記酸素チューブの振動を検出すると、該検出センサに接続された制御器が、前記ナースコールのボタンを押すステップと、を更に含む通報方法。
【発明の詳細な説明】
【技術分野】
【０００１】  本発明は、患者に挿入された穿刺針が抜ける可能性があることを通報する通報装置及び通報方法に関する。
【背景技術】
【０００２】  特許文献１には、患者に穿刺し得る穿刺針と、穿刺針から延設されるとともに、穿刺針を介して患者の体内に液体を導入又は患者の体内から血液を導出し得る可撓性チューブと、を具備した穿刺部の監視装置が記載されている。
穿刺部の監視装置は、治療中、穿刺針又は可撓性チューブの患者に固定される固定部位に形成され、固定部位が患者から離間したことを検知する検知手段と、検知手段により固定部位が患者から離間したことを検知した際に信号を発生する信号発生手段と、を備え、この検知手段は、患者に接触した状態から離間した状態を電気的に検出するタッチセンサからなっている。
【先行技術文献】
【特許文献】
【０００３】
【特許文献１】特許第４３０１５１２号公報
【発明の概要】
【発明が解決しようとする課題】
【０００４】  ここで、患者の体から穿刺針が抜ける可能性があることを知らせる通報装置は、高い精度にて通報できることが望まれる。
本発明は、穿刺針が抜ける可能性があることを高い精度にて通報できる通報装置及び通報方法を提供することを目的とする。また、本発明は、酸素チューブに振動が発生したことを通報できる通報装置を提供することを目的とする。
【課題を解決するための手段】
【０００５】  前記目的に沿う第１の発明に係る通報装置は、患者に穿刺された穿刺針から延びる点滴チューブとともに該患者に取り付けられ、該患者から離間したことを検出する光学式の離間検出センサと、
前記離間検出センサの検出結果に基づいて、通報を行うための制御器と、を備え、
前記離間検出センサは、電気的に絶縁されている。【０００６】  第１の発明に係る通報装置において、
前記離間検出センサは、前記患者の体に対向する第１の面に、
近赤外光を照射する投光器と、
反射した前記近赤外光を受ける受光器と、を有することが好ましい。【０００７】  第１の発明に係る通報装置において、
前記制御器は、ナースコールの呼び出し器を収容する収容部と、
前記収容部に収容された前記呼び出し器のボタンを機械的に操作するボタン操作部と、を有していてもよい。【０００８】  第１の発明に係る通報装置において、
前記制御器は、前記受光器の受光状態を表示する表示部を有することが好ましい。【０００９】  第１の発明に係る通報装置において、
前記患者に酸素を供給するための酸素チューブに取り付けられ、該酸素チューブの振動を検出する振動センサを更に備え、
前記制御器が、前記振動センサの検出結果に基づいて、通報を行ってもよい。【００１０】  前記目的に沿う第２の発明に係る通報装置は、患者に酸素を供給するための酸素チューブに取り付けられ、該酸素チューブの振動を検出する振動センサと、
前記振動センサの検出結果に基づいて、通報を行うための制御器と、を備える。【００１１】  前記目的に沿う第３の発明に係る通報方法は、患者から離間したことを検出する光学式の離間検出センサが、該患者に穿刺された穿刺針から延びる点滴チューブとともに該患者に取り付けられるステップと、
前記離間検出センサが前記患者から離間したことを検出すると、該離間検出センサに接続された制御器が、ナースコールのボタンを押すステップと、を含む。【００１２】  第３の発明に係る通報方法において、
患者に酸素を供給するための酸素チューブの振動を検出する振動センサが、該酸素チューブに取り付けられるステップと、
前記振動センサが、前記酸素チューブの振動を検出すると、該検出センサに接続された制御器が、前記ナースコールのボタンを押すステップと、を更に含むことができる。
【発明の効果】
【００１３】  請求項１〜５記載の通報装置においては、離間検出センサが患者に取り付けられるので、穿刺針が抜ける可能性があることを高い精度にて通報できる。また、離間検出センサは、電気的に絶縁されているので、消毒することができ、繰り返し使用できる。【００１４】  特に、請求項２記載の通報装置においては、離間検出センサが、近赤外光を照射する投光器と、反射した近赤外光を受ける受光器とを有するので、誤検出する可能性が低減される。【００１５】  請求項３記載の通報装置においては、制御器がナースコールの呼び出し器のボタンを機械的に操作するボタン操作部を有するので、病院に備え付けられていたナースコールの配線を変更する必要がない。【００１６】  請求項４記載の通報装置においては、制御器が受光器の受光状態を表示する表示部を有するので、離間検出センサの動作状態を視認できる。【００１７】  請求項５記載の通報装置においては、酸素チューブの振動を検出する振動センサを更に備えているので、酸素チューブに振動が発生したことを通報できる。【００１８】  請求項６記載の通報装置においては、酸素チューブの振動を検出する振動センサを備えているので、酸素チューブに振動が発生したことを通報できる。【００１９】  請求項７、８記載の通報方法においては、離間検出センサが患者に取り付けられるので、穿刺針が抜ける可能性があることを高い精度にて通報できる。【００２０】  特に、請求項８記載の通報方法においては、酸素チューブの振動を検出する振動センサが、酸素チューブに取り付けられるので、酸素チューブに振動が発生したことを更に通報できる。
【図面の簡単な説明】
【００２１】
【図１】本発明の第１の実施の形態に係る通報装置の使用状態を示す説明図である。
【図２】同通報装置が有する離間検出センサの取り付け状態を示す説明図である。
【図３】同通報装置が有する離間検出センサの外形図である。
【図４】同通報装置が有する制御器の構成図である。
【図５】本発明の第２の実施の形態に係る通報装置の構成図である。
【図６】同通報装置が有する振動センサの外形図である。
【図７】同通報装置が有する振動センサの取り付け状態を示す説明図である。
【発明を実施するための形態】
【００２２】  続いて、添付した図面を参照しつつ、本発明を具体化した実施の形態につき説明し、本発明の理解に供する。なお、各図において、説明に関連しない部分は図示を省略する場合がある。
【００２３】＜第１の実施の形態＞
本発明の第１の実施の形態に係る通報装置１０は、図１に示すように、患者の体（例えば腕１１）に穿刺された穿刺針１２が抜ける可能性があることを通報できる。
通報装置１０は、光学式の離間検出センサ２０及び離間検出センサ２０が接続される制御器３０を備えている。
【００２４】  離間検出センサ２０は、縦及び横の寸法が、それぞれ例えば８〜１２ｍｍである。また、厚みが例えば、５〜６ｍｍである。
離間検出センサ２０は、近赤外光を照射する投光器（不図示）と、患者の体に反射した近赤外光を受ける受光器（不図示）と、を有している。近赤外光を用いることによって、可視光を用いる場合と比較して、誤検出する可能性が低減される。
【００２５】  離間検出センサ２０は、図２に示すように、穿刺針１２から延びる点滴チューブＴＢ１がループ状に形成されたループ部ＬＰ１とともに、患者にテープ１４にて取り付けられる。詳細には、離間検出センサ２０は、一方側の面である第１の面が患者に対向するように配置される。第１の面とは反対の側の第２の面には、ループ部ＬＰ１の根元部が位置するように点滴チューブＴＢ１が配置され、離間検出センサ２０及び点滴チューブＴＢ１が共に患者の体にテープ１４にて取り付けられる。
離間検出センサ２０は、患者の体から例えば２〜３ｍｍ離間すると、受光器が反射光を検出できなくなり、離間検出信号Ｓ１を出力する。
【００２６】  なお、離間検出センサ２０の第１の面とは反対の側の第２の面には、点滴チューブＴＢ１が嵌る位置決め溝（不図示）が形成されていることが好ましい。位置決め溝が設けられる事により、点滴チューブＴＢ１が位置決めされ、看護師が点滴チューブＴＢ１をテーブ１４にて取り付ける作業が容易となる。
【００２７】  離間検出センサ２０の第１の面の中央部には、図３に示すように、近赤外光が通過する孔２２が形成されている。
離間検出センサ２０は、孔２２を除き、例えばシリコン等の樹脂によりモールドされている。従って、離間検出センサ２０は電気的に絶縁されているので、タッチセンサと比較して、患者に電気的な影響を及ぼすことが抑えられる。また、離間検出センサ２０は、電気的に絶縁されているので、アルコールにより消毒したり、丸洗いしたりすることができる。
【００２８】  制御器３０は、離間検出センサ２０の検出結果に基づいて、穿刺針１２が抜ける可能性があることを通報できる。制御器３０は、図４に示すように、制御部３０ａ、表示部３０ｂ、収容部３０ｃ、ボタン操作部３０ｄ、及び駆動部３０ｅを有している。
【００２９】  制御部３０ａは、離間検出センサ２０が出力した離間検出信号Ｓ１を受け取り、離間検出信号Ｓ１に基づいて、表示部３０ｂ及び駆動部３０ｅを制御できる。また、制御部３０ａは、接続された離間検出センサ２０が有する投光器の動作を制御できる。制御部３０ａは、例えばＣＰＵにより構成される。
【００３０】  表示部３０ｂは、制御部３０ａに接続され、離間検出センサ２０が有する受光器の受光状態を表示できる。表示部３０ｂは、ＬＥＤを有し、受光器の受光状態（離間検出信号Ｓ１のオンオフ状態）に応じてＬＥＤが点灯する。ＬＥＤは、制御器３０の筐体表面に設けられている。従って、ＬＥＤの点灯状態により、離間検出センサ２０の動作状態を視認できる。
【００３１】  収容部３０ｃは、ナースコールの呼び出し器４２を収容できる。呼び出し器４２は、収容部３０ｃにて、例えば結束バンドにより固定される。
ボタン操作部３０ｄは、ナースコールの呼び出し器４２のボタン４４を機械的に操作し、ボタン４４を押すことができる。ボタン４４が押されると、呼び出し信号Ｓｅが出力される。
駆動部３０ｅは、制御部３０ａに接続され、ボタン操作部３０ｄを駆動することができる。駆動部３０ｅは、例えば、モータやソレノイドによって構成される。
【００３２】  このように、制御器３０は、ナースコールの呼び出し器４２のボタン４４を機械的に操作するボタン操作部３０ｄを有するので、ナースコールを介して呼び出し信号Ｓｅを出力できる。また、制御器３０は、ナースコールの呼び出し器４２のボタン４４を機械的に操作するボタン操作部３０ｄを有するので、病院に備え付けられていたナースコールの配線を変更することなく、通報装置１０を設置できる。
【００３３】  次に、通報装置１０の使用方法（通報方法）について説明する。なお、各ステップは、適宜順序を入れ替えて実行できる場合もある。
【００３４】（ステップＳａ１）
看護師が、穿刺針１２を患者に挿入する。
【００３５】（ステップＳａ２）
看護師が、患者に穿刺された穿刺針１２から延びる点滴チューブＴＢ１を曲げ、ループ状のループ部ＬＰ１を形成する。
【００３６】（ステップＳａ３）
看護師が、患者から離間したことを検出する光学式の離間検出センサ２０を、ループ部ＬＰ１とともに患者に取り付ける。離間検出センサ２０は、テープ１４にて取り付けられる（図２参照）。
【００３７】（ステップＳａ４）
患者が点滴を受ける。
【００３８】（ステップＳａ５）
患者が点滴を受けている間に、例えば患者が点滴チューブＴＢ１を触り、離間検出センサ２０が患者から離間すると、離間検出センサ２０は離間検出信号Ｓ１を出力する。制御器３０の制御部３０ａは、離間検出信号Ｓ１を受け取ると、駆動部３０ｅに指令信号Ｃ１（図４参照）を出力する。駆動部３０ｅは、指令信号Ｃ１に基づいてボタン操作部３０ｄを駆動し、ボタン操作部３０ｄによって、ナースコールの呼び出し器４２のボタン４４が押される。その結果、呼び出し器４２は呼び出し信号Ｓｅを出力する。
【００３９】（ステップＳａ６）
ナースコールにより、穿刺針１２が抜ける可能性があることが看護師に通報される。
【００４０】  このように、通報装置１０によれば、離間検出センサ２０が、点滴チューブＴＢ１とともに患者にテープ１４にて取り付けられるので、穿刺針１２が抜ける可能性があることを高い精度にて通報できる。また、離間検出センサ２０は、近赤外光を用いているので、焦電センサと比較して、温度変化に起因する誤検出の可能性が抑えられる。
【００４１】＜第２の実施の形態＞
続いて、本発明の第２の実施の形態に係る通報装置１０ａについて説明する。第１の実施の形態に係る通報装置１０と同一の構成要素については、同じ符号を付して詳しい説明を省略する。
【００４２】  通報装置１０ａは、図５に示すように、離間検出センサ２０に加え、図６に示す振動センサ５０を更に備えている。離間検出センサ２０及び振動センサ５０は、制御器６０に接続される。
【００４３】  振動センサ５０は、縦及び横の寸法が、それぞれ例えば８〜１２ｍｍである。また、厚みが例えば、５〜６ｍｍである。
振動センサ５０は、図７に示すように、一方が患者の気管に、他方が人工呼吸器に接続され患者に酸素を供給するための酸素チューブＴＢ２に取り付けられる。振動センサ５０は、酸素チューブＴＢ２の振動を検出できる。具体的には、振動センサ５０は、互いに直交するＸＹＺ座標系の各軸方向について加速度を振動として検出できる。
振動センサ５０は、振動を検出すると、振動検出信号Ｓ２（図５参照）を出力する。
【００４４】  なお、振動センサ５０が取り付けられる位置は、振動が伝わる位置であれば、任意の位置でよい。また、振動センサ５０を、人工呼吸器に取り付けることも可能である。
【００４５】  振動センサ５０は、例えばシリコン等の樹脂によりモールドされている。従って、振動センサ５０は、電気的に絶縁されているので、アルコールにより消毒したり、丸洗いしたりすることができる。
【００４６】  振動センサ５０は、予め設定された大きさの振動を検出すると振動検出信号Ｓ２（図５参照）を出力するので、例えば、患者が酸素チューブＴＢ２を触ったり、体を動かしたりしただけでも振動検出信号Ｓ２を出力する。
ここで、酸素チューブＴＢ２が外れると、患者が重篤な状況に陥る可能性がある。本実施の形態における通報装置１０ａは、酸素チューブＴＢ２に振動が発生したことを通報できるので、このような酸素チューブＴＢ２が抜けることを予防できる。
【００４７】  制御器６０は、離間検出センサ２０及び振動センサ５０が接続されるので、離間検出センサ２０の検出結果に基づいて、穿刺針１２が抜ける可能性があることを通報できるだけでなく、振動センサ５０の検出結果に基づいて、酸素チューブＴＢ２が抜ける可能性があることを通報できる。
【００４８】  次に、通報装置１０ａの使用方法（通報方法）について説明する。なお、各ステップは、適宜順序を入れ替えて実行できる場合もある。
【００４９】（ステップＳｂ１）
看護師が、患者に穿刺針１２を挿入する。また、看護師が、患者に酸素チューブＴＢ２を接続する。
【００５０】（ステップＳｂ２）
看護師が、患者に穿刺された穿刺針１２から延びる点滴チューブＴＢ１を曲げ、ループ状のループ部ＬＰ１（図２参照）を形成する。
【００５１】（ステップＳｂ３）
看護師が、ループ部ＬＰ１とともに、離間検出センサ２０を患者に取り付ける。離間検出センサ２０は、テープ１４にて取り付けられる。
【００５２】（ステップＳｂ４）
看護師が、酸素チューブＴＢ２に振動センサ５０を取り付ける。振動センサ５０は、テープ１４にて取り付けられる（図７参照）。
【００５３】（ステップＳｂ５）
患者が点滴及び酸素吸入を受ける。
【００５４】（ステップＳｂ６）
患者が点滴を受けている間に、例えば、患者が点滴チューブＴＢ１を触り、離間検出センサ２０が患者から離間すると、離間検出センサ２０は離間検出信号Ｓ１を出力する。制御器６０の制御部６０ａは、離間検出信号Ｓ１を受け取ると、駆動部３０ｅに指令信号Ｃ１を出力する（図５参照）。駆動部３０ｅは、指令信号Ｃ１（図５参照）に基づいてボタン操作部３０ｄを駆動し、ボタン操作部３０ｄによって、ナースコールの呼び出し器４２のボタン４４が押される。その結果、呼び出し器は、呼び出し信号Ｓｅを出力する。続いて、ステップＳｂ８が実行される。
【００５５】（ステップＳｂ７）
本ステップは、ステップＳｂ６と並行して実行される。患者が酸素吸入を受けている間に、例えば、患者が酸素チューブＴＢ２を触ると、振動センサ５０が、酸素チューブＴＢ２の振動を検出し、振動検出信号Ｓ２を出力する。制御器６０の制御部６０ａは、振動検出信号Ｓ２を受け取ると、駆動部３０ｅに指令信号Ｃ２を出力する。駆動部３０ｅは、指令信号Ｃ２に基づいてボタン操作部３０ｄを駆動し、ボタン操作部３０ｄによって、ナースコールの呼び出し器４２のボタン４４が押される。その結果、呼び出し器は、呼び出し信号Ｓｅを出力する。続いて、ステップＳｂ８が実行される。
【００５６】（ステップＳｂ８）
ナースコールにより、酸素チューブＴＢ２が抜ける可能性があることが看護師に通報される。
【００５７】  このように、本実施の形態の通報装置１０ａによれば、振動センサ５０が酸素チューブＴＢ２に取り付けられるので、酸素チューブＴＢ２に振動が発生したことを通報できる。
【００５８】  なお、本実施の形態の通報装置１０ａにおいては、離間検出センサ２０に加え、振動センサ５０が制御器６０に接続されているが、振動センサ５０のみが制御器６０に接続されていてもよい。
【００５９】  本発明は、前述の実施の形態に限定されるものではなく、本発明の要旨を変更しない範囲での変更は可能である。例えば、前述の実施の形態や変形例の一部又は全部を組み合わせて発明を構成する場合も本発明の技術的範囲に含まれる。
【００６０】  制御器には、複数の離間検出センサ及び複数の振動センサが接続されるように構成することも可能である。
また、前述の実施の形態において、制御器は、呼び出し器を操作して呼び出し信号を出力していたが、呼び出し器を操作して呼び出し信号を出力することに限定されるものではない。また、制御器は、ナースコールを介して通報していたが、必ずしもナースコールを介する必要はない。制御器は、看護師に通報ができればよい。
【符号の説明】
【００６１】１０：通報装置、１０ａ：通報装置、１１：腕、１２：穿刺針、１４：テープ、２０：離間検出センサ、２２：孔、３０：制御器、３０ａ：制御部、３０ｂ：表示部、３０ｃ：収容部、３０ｄ：ボタン操作部、３０ｅ：駆動部、４２：呼び出し器、４４：ボタン、５０：振動センサ、６０：制御器、６０ａ：制御部、ＬＰ１：ループ部、ＴＢ１：点滴チューブ、ＴＢ２：酸素チューブ
【図１】
2013233401.tif 000003
【図２】
2013233401.tif 000004
【図３】
2013233401.tif 000005
【図４】
2013233401.tif 000006
【図５】
2013233401.tif 000007
【図６】
2013233401.tif 000008
【図７】
2013233401.tif 000009